(57)【要約】【課題】  最適な受信状態となるまでにＰＬＬへ送出する周波数データの送出回数を少なくして、選局にかかる時間を短くすることのできる周波数データ発生装置を提供する。【解決手段】  周波数データ発生装置１は、ＰＩＦ周波数カウンタ１３で計測されたＰＩＦ信号の周波数値とＰＩＦ基準値メモリ１４に格納のＰＩＦ規格周波数値との差分値を差分算出部１５で算出し、この差分値に基づいて、周波数データメモリ１１から読み出した周波数データの補正を周波数データ補正部１６で行って出力する。【選択図】  図１
2005109561.tif 000002
【特許請求の範囲】
【請求項１】
ＰＬＬ方式チューナのＰＬＬへ発振周波数設定用の周波数データを供給する周波数データ発生装置であって、
周波数データを格納する周波数データ記憶手段と、
前記チューナから出力される中間周波信号の周波数を計測する中間周波信号周波数計測手段と、
前記中間周波信号の周波数の基準値を格納する中間周波信号周波数基準値記憶手段と、
前記中間周波信号周波数計測手段により計測された値と前記中間周波信号周波数基準値記憶手段から読み出された基準値との差分を算出する差分算出手段と、
前記周波数データ記憶手段から読み出された周波数データに前記差分算出手段から出力された差分値に基づく補正を行う周波数データ補正手段と、
を有し、
前記周波数データ記憶手段から一の周波数データを読み出して出力した後は、前記周波数データ補正手段により補正された周波数データを出力することを特徴とする周波数データ発生装置。
【請求項２】
さらに前記チューナからの出力に基づく信号に放送信号が含まれるかどうかを検出する放送信号検出手段を有し、前記放送信号を検出したときに前記周波数データ補正手段による前記周波数データの補正を行うことを特徴とする請求項１に記載の周波数データ発生装置。
【請求項３】
前記中間周波信号周波数計測手段により計測された値が前記中間周波信号周波数基準値記憶手段から読み出された基準値と一致したことを示す一致信号および前記放送信号検出手段が放送信号を検出しなかったことを示す非検出信号の出力が可能なことを特徴とする請求項２に記載の周波数データ発生装置。
【請求項４】
前記放送信号検出手段が検出対象とする放送信号が、テレビ映像の水平同期信号であることを特徴とする請求項２または３に記載の周波数データ発生装置。
【発明の詳細な説明】
【技術分野】
【０００１】
本発明は、ＰＬＬ方式チューナのＰＬＬに供給する周波数データを出力する周波数データ発生装置に関する。
【背景技術】
【０００２】
テレビ放送受信用のＰＬＬ方式チューナでは、所望の放送を受信する場合、選局されたチャンネルの周波数を指定する周波数データがＰＬＬに設定され、この周波数データに基づいてＰＬＬが所定の周波数で発振し、チューナの局部発振周波数とする。
【０００３】
テレビの受像状態を良好に保つためには、ＰＬＬの発振周波数が周囲の温度変化や経時変化の影響を吸収しなければならない。そのため、従来、ＰＬＬで受信周波数を制御するＡＦＴ（Ａｕｔｏｍａｔｉｃ  Ｆｉｎｅ  Ｔｕｎｉｎｇ自動周波数調整）回路が設けられていた。
【０００４】
また、選局のときは、所望のチャンネルの選択からＰＬＬが所定の周波数に達するまでの時間が短いことが望まれる。
【０００５】
そこで、このＡＦＴ回路から出力されるＡＦＴ電圧を利用して選局時間を短くすることが図られていた（例えば、特許文献１参照。）。
【特許文献１】特開平５−１１０３８５号公報  （第２ページ、図１）
【発明の開示】
【発明が解決しようとする課題】
【０００６】
しかしながら、上述のようなＡＦＴ電圧を利用した選局においては、ＰＬＬに周波数データを試行錯誤的に複数回与え、その都度ＡＦＴ電圧を測定して最適な受信状態となる周波数データを決定するということが行われていた。そのため、ＰＬＬへの周波数データの送出を繰り返し行う必要があり、周波数データの決定までに時間がかかるという問題があった。
【０００７】
そこで、本発明の目的は、最適な受信状態となるまでにＰＬＬへ送出する周波数データの送出回数を少なくすることのできる周波数データ発生装置を提供することにある。
【課題を解決するための手段】
【０００８】
本発明の一態様によれば、ＰＬＬ方式チューナのＰＬＬへ発振周波数設定用の周波数データを供給する周波数データ発生装置であって、周波数データを格納する周波数データ記憶手段と、前記チューナから出力される中間周波信号の周波数を計測する中間周波信号周波数計測手段と、前記中間周波信号の周波数の基準値を格納する中間周波信号周波数基準値記憶手段と、前記中間周波信号周波数計測手段により計測された値と前記中間周波信号周波数基準値記憶手段から読み出された基準値との差分を算出する差分算出手段と、前記周波数データ記憶手段から読み出された周波数データに前記差分算出手段から出力された差分値に基づく補正を行う周波数データ補正手段と、を有し、前記周波数データ記憶手段から一の周波数データを読み出して出力した後は、前記周波数データ補正手段により補正された周波数データを出力することを特徴とする周波数データ発生装置が提供される。
【発明の効果】
【０００９】
本発明によれば、選局したチャンネルの放送信号を変換して得られた中間周波信号の周波数の計測値と中間周波信号の周波数の基準値との差分に基づいてＰＬＬへ供給する周波数データを補正するため、最適な受信状態となるまでにＰＬＬへ送出する周波数データの送出回数を少なくでき、選局にかかる時間を短くすることができる。
【発明を実施するための最良の形態】
【００１０】
以下、本発明の実施例を図面を参照して説明する。
【実施例１】
【００１１】
図１は、本発明の実施例１に係る周波数データ発生装置の構成を示すブロック図であり、ここではテレビ放送の選局の実行に適した例を示している。
【００１２】
周波数データ発生装置１は、選局されたテレビチャンネルの局部発振周波数をチューナ２へ与えるＰＬＬ３の発振周波数を設定する周波数データを発生させる装置である。
【００１３】
ここで、周波数データ発生装置１の詳細な説明に先立って、先ず一般的なテレビの映像受信について説明する。
【００１４】
チューナ２は受信したＲＦ信号を受け付け、選局されたチャンネルの信号のみをＩＦ（中間周波）信号に変換する。このとき、ＩＦ信号は、どのチャンネルを受信しても同じ周波数になるように変換される。チューナ２から出力されたＩＦ信号は、ＰＩＦ（映像中間周波）増幅器４で増幅され、ＰＩＦ信号が出力される。
【００１５】
放送されているチャンネルを受信した場合、このＰＩＦ信号を映像検波器５に通すことにより複合映像信号が得られる。この複合映像信号には、輝度信号と搬送色信号が含まれ、また、同期信号が含まれる。
【００１６】
さて、先にチューナ２から出力されたＩＦ信号の周波数は、どのチャンネルを受信しても同じ周波数になると述べたが、これをＰＩＦ信号の周波数をｆ０、選局されたチャンネルの信号周波数をｆ１、局部発振周波数（ＰＬＬ３の発振周波数）をｆ２で表わすと、ＰＩＦ信号の周波数ｆ０は、ｆ０＝（ｆ２−ｆ１）と表わされることを意味する。
【００１７】
そのため、局部発振周波数ｆ２として、ｆ２＝（ｆ１＋ｆ０）となる周波数が与えられる必要がある。そこで、ＰＬＬ３の発振周波数は、選局されたチャンネルの信号周波数よりもＰＩＦ信号周波数分だけ高い周波数になるよう設定されている。
【００１８】
このＰＩＦ信号の基準周波数および各チャンネル信号周波数は、各国ごとに割り当てがあり、その割り当てに従って規格化されている。例えば、日本では、ＰＩＦ信号の基準周波数は５８．７５ＭＨｚと規格化されている。
【００１９】
本実施例の周波数データ発生装置１は、上述のＰＩＦ信号を利用して選局を行うものである。すなわち、ＰＩＦ信号の周波数が正しく基準値になるよう周波数データを補正することによって、最適な受信状態の選局を行おうとするものである。また、選局にあたっては、複合映像信号を利用し、選局されたチャンネルにおいて放送が行われているかどうかの判定も行う。
【００２０】
周波数データ発生装置１は、ＰＬＬ３に設定する各チャンネルの周波数データを格納した周波数データメモリ１１と、映像検波器５から入力された複合映像信号に水平同期信号が含まれるかどうかを検知する水平同期信号検出部１２と、水平同期信号検出部１２が水平同期信号を検出したときにＰＩＦ増幅器４から入力されたＰＩＦ信号の周波数を計測するＰＩＦ周波数カウンタ１３と、ＰＩＦの規格化されている周波数の値を格納しているＰＩＦ基準値メモリ１４と、ＰＩＦ周波数カウンタ１３で計測した値とＰＩＦ基準値メモリ１４から読み出した値の差分を算出する差分算出部１５と、周波数データメモリ１１から読み出した周波数データに差分算出部１５で算出した差分値に基づく補正を行う周波数データ補正部１６とを有している。
【００２１】
なお、周波数データメモリ１１からの周波数データの読み出しは、周波数データ発生装置１の外部に設けられた選局装置６からの指示に従い行われる。この選局装置６は、入力された選局信号のチャンネル指定に基づき、周波数データメモリ１１へ指定のチャンネルの周波数データを読み出すよう指示する。
【００２２】
図２は、周波数データ補正部１６の内部構成を示すブロック図である。
【００２３】
周波数データ補正部１６は、入力された差分値を周波数データの補正量に換算する補正量算出部１６ａと、補正量算出部１６ａから出力された補正量を周波数データメモリ１１から読み出した周波数データに加算する加算部１６ｂとからなる。加算部１６ｂの出力が、ＰＬＬ３へ出力する周波数データとなる。
【００２４】
なお、補正量算出部１６ａの初期値は０としている。すなわち、周波数データメモリ１１から周波数データを読み出した直後の補正量は０である。したがって、周波数データメモリ１１から周波数データを読み出した直後は、周波数データメモリ１１から読み出した周波数データが、そのままＰＬＬ３へ出力される。
【００２５】
次に、周波数データ発生装置１を用いた選局動作を説明する。
【００２６】
図３は、周波数データ発生装置１を用いて行う選局動作のフローを示す動作フロー図である。
【００２７】
このフローは、選局信号に基づいて選局装置６よりあるチャンネルの周波数データの送出が指示されたときの周波数データ発生装置１の動作を示すものである。
【００２８】
また、ＰＩＦ基準値をｆ０、選局装置６より指定されたチャンネルの信号周波数をｆ１、この指定されたチャンネルに対応する局部発振周波数（ＰＬＬ３の発振周波数）をｆ２、この局部発振周波数に対応する周波数データをＦ２として説明を行う。
【００２９】
なお、ここでは、電波の受信状態が悪く、受信された指定のチャンネルの信号周波数が、本来の周波数ｆ１からずれて、ｆ１１となっている場合を例にとって説明する。
【００３０】
まず、選局装置６から選局されたチャンネルの周波数データの読み出しが指示されると、周波数データメモリ１１から指定のチャネルの周波数データＦ２が読み出される。読み出された周波数データＦ２は、周波数データ補正部１６へ送られ、補正量の加算が行われるが、補正量の初期値は０であるため、ここでは、周波数データメモリ１１から読み出された周波数データＦ２が、そのままＰＬＬ３へ送出される（ステップＳ１）。
【００３１】
この周波数データＦ２に基づいてＰＬＬ３は周波数ｆ２の発振を行い、これをチューナ２の局部発振周波数とする。これに応じて、チューナ２によるＩＦ信号の出力、ＰＩＦ増幅器４によるPＩＦ信号の出力、映像検波器５による複合映像信号の出力が行われる。
【００３２】
この映像検波器５から出力される複合映像信号が水平同期信号検出部１２へ入力される。水平同期信号検出部１２は、入力された複合映像信号に水平同期信号が含まれているかどうかをチェックする（ステップＳ２）。
【００３３】
このチェックは、選局されたチャンネルが放送されているチャンネルかどうかを判断するために行うものである。もし、水平同期信号が検出されなければ、選局されたチャンネルでは放送が行われていないので、この後述べる補正動作は不要である。したがって、この時点で本フローの選局動作は終了する。一方、水平同期信号が検出されたときは、次の動作へ進む。
【００３４】
水平同期信号が検出されると、ＰＩＦ周波数カウンタ１３が、入力されたＰＩＦ信号の周波数をカウントする（ステップＳ３）。
【００３５】
このとき、受信された指定のチャンネルの信号周波数が、本来の周波数ｆ１からずれて、ｆ１１となっているため、ＰＩＦ周波数カウンタ１３でカウントされた値をｆ０１とすると、ｆ０１は、ｆ０１＝（ｆ２−ｆ１１）となる。
【００３６】
次に、差分算出部１５が、ＰＩＦ周波数カウンタ１３でカウントされた値ｆ０１とＰＩＦ基準値メモリ１４に格納されているＰＩＦ基準値ｆ０との差分を算出する（ステップＳ４）。
【００３７】
いま、この差分値をΔｆと表わすと、Δｆ＝（ｆ０１−ｆ０）である。ここで、ｆ０１＝（ｆ２−ｆ１１）であり、ｆ０＝（ｆ２−ｆ１）であるので、上記のΔｆは、Δｆ＝（ｆ１１−ｆ１）となる。すなわち、差分算出部１５で算出される差分値Δｆは、受信した信号の周波数の本来の周波数からのズレを表わす。
【００３８】
そこで、ＰＩＦ信号の周波数が基準値に一致するようにするためには、ＰＬＬ３の発振周波数ｆ２をΔｆだけ増加させればよい。
【００３９】
そのため、この差分値Δｆに基づいて、周波数データ補正部１６にて周波数データの補正を行う（ステップＳ５）。
【００４０】
このとき、この差分値Δｆは周波数形式の値になっているので、これを補正量算出部１６ａで周波数データ形式の補正量に変換する。次いで、加算部１６ｂが、この補正量を周波数データメモリ１１から読み出された周波数データＦ２に加算し、補正された周波数データを得る。いま、この補正後の周波数データをＦ２１とする。
【００４１】
最後に、補正後の周波数データをＦ２１をＰＬＬ３へ出力し（ステップＳ６）、一連の選局動作は終了する。
【００４２】
ＰＬＬ３は、新たに送られた周波数データＦ２１に基づいて、発振周波数を変更する。この新たな発振周波数をｆ２１と表わし、この新たな発振周波数をｆ２１に対してＰＩＦ増幅器４から出力される新たなＰＩＦ信号の周波数をｆ０２とすると、新たなＰＩＦ信号の周波数ｆ０２は、ｆ０２＝（ｆ２１−ｆ１１）となる。
【００４３】
ここで、ｆ２１＝（ｆ２＋Δｆ）であり、ｆ１１＝（ｆ１＋Δｆ）であるので、ｆ０２＝｛（ｆ２＋Δｆ）−（ｆ１＋Δｆ）｝＝（ｆ２−ｆ１）＝ｆ０となる。
【００４４】
つまり、ｆ０２＝ｆ０であり、このことは、新たに出力されたＰＩＦ信号の周波数は基準値に合っていることを意味する。
【００４５】
すなわち、上述の選局動作により、周波数ｆ１１の受信信号が正しく選局されたことになる。
【００４６】
このような本実施例によれば、受信した信号の周波数が本来の周波数からずれていても、周波数データメモリ１１から読み出した周波数データに１回の補正を行うだけで、最適な受信状態の選局を行うことができる。
【実施例２】
【００４７】
図４は、本発明の実施例２に係る周波数データ発生装置の構成を示すブロック図であり、ここではチャンネルサーチの実行に適した例を示している。チャンネルサーチは、チャンネルの値を順次増加させて、次々と新たなチャンネルの受信を行うもので、放送されているチャンネルが不明で、どのチャンネルで放送が行われているかを捜すときなどに実行されるものである。
【００４８】
本実施例の周波数データ発生装置２１の構成は、基本的に実施例１の周波数データ発生装置１と同じである。そこで、図４において、図１に示したブロックと同じ機能のブロックには図１と同一の符号を付し、ここではその詳細な説明を省略する。
【００４９】
本実施例の周波数データ発生装置２１を構成するブロックで、実施例１の周波数データ発生装置１を構成するブロックと異なる機能を有するブロックは、水平同期信号検出部２２と、差分算出部２５である。
【００５０】
水平同期信号検出部２２は、入力された複合映像信号に水平同期信号が含まれていることを検出したときに検出信号を出力する他に、水平同期信号を検出しなかったときには非検出信号を出力する。この非検出信号は、周波数データ発生装置２１の外部へ出力される。
【００５１】
差分算出部２５は、差分値を出力する他に、差分値が０であるとき、すなわちＰＩＦ周波数カウンタ１３の値がＰＩＦ基準値と一致したときには、一致信号を出力する。この一致信号は、周波数データ発生装置２１の外部へ出力される。
【００５２】
また、周波数データ発生装置２１への周波数データ発生の指示は、チャンネルカウンタ７から行われる。
【００５３】
チャンネルカウンタ７は、チャンネルサーチの開始を指示するチャンネルサーチ信号が入力されると、周波数データ発生装置２１へチャンネル１の周波数データを周波数データメモリから読み出すように指示する。また、上述した非検出信号または一致信号が、周波数データ発生装置２１から入力されると、カウンタ値を１インクリメントして、次のチャンネルの周波数データの読み出しを周波数データ発生装置２１へ指示する。
【００５４】
これにより、最初のチャンネルから順次チャンネルの値を大きくしていくチャンネルサーチが行われる。
【００５５】
次に、周波数データ発生装置２１を用いたチャンネルサーチ動作について説明する。
【００５６】
図５は、周波数データ発生装置２１を用いて行うチャンネルサーチ動作のフローを示す動作フロー図である。
【００５７】
図５のフロー図において、図３に示すフロー図における動作と同じ動作を行うステップには、図３と同一の符号を付し、ここでは、その詳細な説明を省略する。
【００５８】
チャンネルサーチ動作が開始されると、先ず、最初のチャンネルの周波数データが周波数データメモリ１１から読み出され、そのままＰＬＬ３へ送出される（ステップＳ１）。
【００５９】
次いで、このチャンネルから得られる複合映像信号に水平同期信号が含まれているかどうかを水平同期信号検出部２２がチェックする（ステップＳ２）。
【００６０】
水平同期信号が検出されなければ、水平同期信号検出部２２は非検出信号を出力する。ここで、水平同期信号が検出されないということは、このチャンネルでは放送が行われていないということを意味する。そこで、次のチャンネルへ進むため、この非検出信号をチャンネルカウンタ７へ送出する。これを受けて、チャンネルカウンタ７はカウンタ値を１インクリメントする（ステップＳ２８）。
【００６１】
ステップＳ２で水平同期信号が検出されたときは、ＰＩＦ周波数カウンタ１３でＰＩＦ信号の周波数をカウントし（ステップＳ３）、差分算出部２５でＰＩＦ基準値との差分を算出する（ステップＳ４）。
【００６２】
ここで差分値が０であるかどうかをチェックする（ステップＳ２５）。
【００６３】
差分値が０であるときは、このチャンネルの放送が正しく受信されたことを意味するので、次のチャンネルへ進むため、差分算出部２５は一致信号をチャンネルカウンタ７へ送出する。これを受けて、チャンネルカウンタ７はカウンタ値を１インクリメントする（ステップＳ２８）。
【００６４】
ステップＳ２５で差分値が０でなければ、差分算出部２５から出力される差分値に基づいて周波数データを補正し（ステップＳ６）、補正後の周波数データを送出する（ステップＳ７）。
【００６５】
この補正後の周波数データに対して、再度ステップＳ２からステップＳ２５までの動作を繰り返す。補正後のデータに対しては、ステップＳ２５で差分値＝０との結果が得られるので、ここでステップＳ２８へ進み、チャンネルカウンタ７が１インクリメントされる。
【００６６】
ステップＳ２８で、チャンネルカウンタ７が１インクリメントされると、チャンネルカウンタ７から周波数発生装置２１へ次のチャンネルの周波数データの読み出しが指示される。
【００６７】
以降、上述したステップを繰り返し実行し、放送されている信号周波数を順次捜し、放送されている信号周波数を検出した場合には、その信号周波数に正しく同調する周波数データを発生する動作が実行される。
【００６８】
このような本実施例によれば、チャンネルサーチ動作で次々と読み出される周波数データのそれぞれに最大１回の補正を行うだけで、最適な受信状態の選局を行うことができる。
【００６９】
また、放送されていないチャンネルを検出したときは、そのチャンネルに対する補正処理を行わないことによりチャンネルサーチ時間を短縮することができる。
【図面の簡単な説明】
【００７０】
【図１】本発明の実施例１に係る周波数データ発生装置の構成を示すブロック図。
【図２】本発明の実施例に係る周波数データ補正部の構成を示すブロック図。
【図３】本発明の実施例１に係る周波数データ発生装置の動作を説明するフロー図。
【図４】本発明の実施例２に係る周波数データ発生装置の構成を示すブロック図。
【図５】本発明の実施例２に係る周波数データ発生装置の動作を説明するフロー図。
【符号の説明】
【００７１】
１、２１  周波数データ発生装置
１１  周波数データメモリ
１２、２２  水平同期信号検出部
１３  ＰＩＦ周波数カウンタ
１４  ＰＩＦ基準値メモリ
１５、２５  差分算出部
１６  周波数データ補正部
１６ａ  補正量算出部
１６ｂ  加算部
２  チューナ
３  ＰＬＬ
４  ＰＩＦ増幅器
５  映像検波器
６  選局装置
７  チャンネルカウンタ
【図１】
2005109561.tif 000003
【図２】
2005109561.tif 000004
【図３】
2005109561.tif 000005
【図４】
2005109561.tif 000006
【図５】
2005109561.tif 000007